(57)【要約】本発明に係るラチェットレンチは、本体と、駆動部材と、制動部材と、切替部材と、付勢ユニットと、を備える。前記本体には、第１収容空間と、第２収容空間と、前記第１収容空間および前記第２収容空間と連通する第３収容空間とが設けられており、前記第２収容空間は、一端が大径段であり、他端が小径段であり、前記駆動部材は、前記第１収容空間内に回転可能に設けられている。前記制動部材は、前記第３収容空間内に設けられており、前記駆動部材の回転方向を規制することが可能である。前記切替部材は、前記第２収容空間に回転可能に設けられており、回転部材と、前記回転部材から伸びる突出と、を備える。前記回転部材は前記大径段に収容される。前記突出は前記小径段に収容される。本発明に係るラチェットレンチによれば、トグルをスムーズに回転することが可能であり、前記トグルが前記本体から離脱することを有効に防止することが可能であり、寿命および作業効率を増加することが可能である。【選択図】図５
2019514715.tif 000002
【特許請求の範囲】
【請求項１】
第１収容空間と、前記第１収容空間に平行する第２収容空間と、前記第１収容空間および前記第２収容空間と連通する第３収容空間とが設けられており、前記第２収容空間は、一端が大径段であり、他端が小径段である本体と、
前記第１収容空間内に回転可能に設けられており、外周面に沿って第１係止部が設けられている駆動部材と、
前記第３収容空間内に設けられており、前記第１係止部と係止する第２係止部が設けられており、前記第２係止部により、前記駆動部材の回転方向が規制される制動部材と、
前記第２収容空間に回転可能に設けられており、回転部材と、前記回転部材から伸びる突出と、を備え、前記回転部材は前記大径段に収容され、前記突出は前記小径段に収容され、前記回転部材の前記突出から遠く離れた一端には、径方向に沿い切替えられ可能なトグルが設けられており、前記回転部材には、径方向に沿う収容穴が設けられている切替部材と、
一端が前記回転部材の収容穴に収容され、他端が前記制動部材に規制されるように互いに押付け、前記制動部材を前記第１係止部へ付勢する付勢ユニットと、を備え、
前記切替部材を調整して前記制動部材と前記第１係止部との係止の位置を切り替えることにより、前記駆動部材の回転方向を調整可能であることを特徴とする、
ラチェットレンチ。
【請求項２】
前記付勢ユニットは、弾性部材と、押付ブロックと、を備え、前記弾性部材は、前記押付ブロックを嵌め、前記収容穴に収容されることを特徴とする、請求項１に記載のラチェットレンチ。
【請求項３】
前記押付ブロックはＥ字形を呈するブロックであり、前記押付ブロックは、ブッシュと、前記ブッシュの両側から伸びる止めアームと、を備え、前記弾性部材は前記ブッシュを嵌め、前記二つの止めアームは、前記収容穴にスライド可能に収容されていることを特徴とする、請求項２に記載のラチェットレンチ。
【請求項４】
前記収容穴は、拡径部と、それぞれ前記拡径部の両端に位置する二つの延在段と、を備え、前記二つの止めアームは、それぞれ前記二つの延在段内に位置し、前記弾性部材と前記ブッシュとは、前記拡径部内に位置することを特徴とする、請求項３に記載のラチェットレンチ。
【請求項５】
前記制動部材の前記第１係止部から遠く離れた一端に窪みが設けられており、前記押付ブロックの前記切替部材から遠く離れた一端は、前記窪みの壁面に押し付けることを特徴とする、請求項３に記載のラチェットレンチ。
【請求項６】
前記回転部材の径方向には、前記制動部材に向く方向に切り欠部が設けられており、前記回転部材の前記切り欠部の上に凸縁が形成されており、前記切り欠部は、凸部と、前記凸部の両側に位置する円弧面段と、を備え、前記収容穴は前記凸部に設けられていることを特徴とする、請求項１に記載のラチェットレンチ。
【請求項７】
前記回転部材の軸方向から見れば、前記凸縁の径方向寸法は前記凸部の径方向の寸法より大きいことを特徴とする、請求項６に記載のラチェットレンチ。
【請求項８】
前記大径段と前記小径段との間に第１階段部が形成され、前記回転部材と前記突出との間に第２階段部が形成され、前記第１階段部は前記第２階段部に押し付けることを特徴とする、請求項１に記載のラチェットレンチ。
【請求項９】
前記回転部材の径方向には、前記制動部材に向く方向に切り欠部が設けられており、前記回転部材の前記切り欠部の上に凸縁が形成されており、前記切り欠部は、凸部と、前記凸部の両側に位置する円弧面段と、を備え、前記収容穴は前記凸部に設けられており、前記回転部材の軸方向から見れば、前記凸縁の径方向の寸法は、前記凸部の径方向の寸法より大きく、前記大径段と前記小径段との間に第１階段部が形成され、前記回転部材と前記突出との間に第２階段部が形成され、前記第１階段部は前記第２階段部に押し付け、前記制動部材の前記第１係止部から遠く離れた一端に窪みが設けられており、前記押付ブロックの前記切替部材から遠く離れた一端は、前記窪みの穴壁に押し付けることを特徴とする、請求項４に記載のラチェットレンチ。
【発明の詳細な説明】
【技術分野】
【０００１】
本発明は、手工具に関し、特に、ラチェットレンチに関するものである。
【背景技術】
【０００２】
従来のラチェットレンチは、例えば特許文献１の中華民国実用新案Ｍ５２０９６４号が開示されている。これは、レンチの本体に、駆動ラチェットと、止め金と、トグルとが組付けられている。前記トグルは、前記本体に回転可能に設けられている。前記トグルと前記止め金との間にバネが設けられている。前記バネにより、前記止め金が前記駆動ラチェットへ付勢されて、前記駆動ラチェットの回転方向を規制する。
【０００３】
しかし、従来のラチェットレンチのトグルを切替えるときに、上下にフリップする力が生じるため、トグルをスムーズに切替えることができず、更に、トグルが前記レンチの本体から離脱して、バネ、トグル及び止め金が散ることがある。その場合、これらを組付ける時間が掛かるため、作業効率が降下する。
【先行技術文献】
【特許文献】
【０００４】
【特許文献１】中華民国実用新案Ｍ５２０９６４号公報
【発明の概要】
【発明が解決しようとする課題】
【０００５】
本発明の主な目的は、トグルの回転がスムーズとなり、トグルが本体から離脱することを有効に防止することが可能であり、寿命および作業効率を増加することが可能なラチェットレンチを提供することにある。  
【課題を解決するための手段】
【０００６】
本発明のラチェットレンチは、第１収容空間と、第１収容空間に平行する第２収容空間と、第１収容空間および第２収容空間と連通する第３収容空間とが設けられており、第２収容空間は、一端が大径段であり、他端が小径段である本体と、第１収容空間内に回転可能に設けられており、外周面に沿って第１係止部が設けられている駆動部材と、第３収容空間内に設けられており、第１係止部と係止する第２係止部が設けられており、第２係止部により、駆動部材の回転方向が規制される制動部材と、第２収容空間に回転可能に設けられており、回転部材と、回転部材から伸びる突出と、を備え、回転部材は大径段に収容され、突出は小径段に収容され、回転部材の突出から遠く離れた一端には、径方向に沿い切替えられ可能なトグルが設けられており、回転部材には、径方向に沿う収容穴が設けられている切替部材と、一端が回転部材の収容穴に収容され、他端が制動部材に規制されるように互いに押付け、制動部材を第１係止部へ付勢する付勢ユニットと、を備え、切替部材を調整することによって、制動部材と第１係止部との係止の位置を切り替えることにより、駆動部材の回転方向を調整することが可能であることを特徴とする。
【０００７】
本発明のラチェットレンチは、付勢ユニットは、弾性部材と、押付ブロックと、を備え、弾性部材は、押付ブロックを嵌め、収容穴に収容されることを特徴とする。
【０００８】
本発明のラチェットレンチは、押付ブロックはＥ字形を呈するブロックであり、押付ブロックは、ブッシュと、ブッシュの両側から伸びる止めアームと、を備え、弾性部材はブッシュを嵌め、二つの止めアームは、収容穴にスライド可能に収容されていることを特徴とする。
【０００９】
本発明のラチェットレンチは、収容穴は、拡径部と、それぞれ拡径部の両端に位置する二つの延在段と、を備え、二つの止めアームは、それぞれ二つの延在段内に位置し、弾性部材とブッシュとは、拡径部内に位置することを特徴とする。
【００１０】
本発明のラチェットレンチは、制動部材の第１係止部から遠く離れた一端に窪みが設けられており、押付ブロックの切替部材から遠く離れた一端は、窪みの壁面に押し付けることを特徴とする。
【００１１】
本発明のラチェットレンチは、回転部材の径方向には、制動部材に向く方向に切り欠部が設けられており、回転部材の切り欠部の上に凸縁が形成されており、切り欠部は、凸部と、凸部の両側に位置する円弧面段と、を備え、収容穴は凸部に設けられていることを特徴とする。
【００１２】
本発明のラチェットレンチは、回転部材の軸方向から見れば、凸縁の径方向寸法は凸部の径方向の寸法より大きいことを特徴とする。
【００１３】
本発明のラチェットレンチは、大径段と小径段との間に第１階段部が形成され、回転部材と突出との間に第２階段部が形成され、第１階段部は第２階段部に押し付けることを特徴とする。
【００１４】
本発明のラチェットレンチは、回転部材の径方向には、制動部材に向く方向に切り欠部が設けられており、回転部材の切り欠部の上に凸縁が形成されており、切り欠部は、凸部と、凸部の両側に位置する円弧面段と、を備え、収容穴は凸部に設けられており、回転部材の軸方向から見れば、凸縁の径方向の寸法は、凸部の径方向の寸法より大きく、大径段と小径段との間に第１階段部が形成され、回転部材と突出との間に第２階段部が形成され、第１階段部は第２階段部に押し付け、制動部材の第１係止部から遠く離れた一端に窪みが設けられており、押付ブロックの切替部材から遠く離れた一端は、窪みの穴壁に押し付けることを特徴とする。
【発明の効果】
【００１５】
本発明のラチェットレンチには、次のような効果がある。
（１）回転部材が回転するときに、回転部材は突出を中心としてスムーズに回転することが可能である。大径段と小径段との間に第１階段部が形成され、回転部材と突出との間に第２階段部が形成され、第１階段部が第２階段部に押し付ける。これにより、大径段に回転部材を安定的に位置決めることが可能であり、ラチェットレンチの寿命および作業効率を増加することが可能である。
【００１６】
（２）切替部材が回転するときには、凸縁が上支持部を形成し、突出が下支持部を形成する。これにより、切替部材の上下端をそれぞれ支持することが可能であり、切替部材を切替えるときに発生する上下に回転する力を抵抗することが可能であり、切替部材の回転がもっとスムーズとなり、切替部材が第２収容空間から離脱することを防止することが可能である。
【図面の簡単な説明】
【００１７】
【図１】本発明の一実施の形態に係るラチェットレンチを示す斜視図である。
【図２】本発明の一実施の形態に係るラチェットレンチの一部を示す斜視図である。
【図３】本発明の一実施の形態に係るラチェットレンチを示す分解斜視図である。
【図４】本発明の一実施の形態に係るラチェットレンチの一部を示す拡大図である。
【図５】本発明の一実施の形態に係るラチェットレンチの組付けを示す図である。
【図６】本発明の一実施の形態に係るラチェットレンチの組付けを示す図である。
【図７】本発明の一実施の形態に係るラチェットレンチの操作を示す図である。
【図８】本発明の一実施の形態に係るラチェットレンチの操作を示す図である。
【発明を実施するための形態】
【００１８】
以下、本発明の実施の形態を図面に基づいて説明する。
【００１９】
図１から図６を参照する。本発明の一実施の形態に係るラチェットレンチは、本体１と、駆動部材２と、制動部材３と、切替部材４と、付勢ユニット５と、を備える。
【００２０】
本体１には、第１収容空間１１と、第１収容空間１１に平行する第２収容空間１２と、第１収容空間１１及び第２収容空間１２と連通する第３収容空間１３とが設けられている。第２収容空間１２は、一端が大径段１２１であり、他端が小径段１２２である。
【００２１】
駆動部材２は、第１収容空間１１内に回転可能に設けられており、外周面に沿って第１係止部２１が設けられている。本実施の形態では、第１係止部２１が、例えば複数の外歯を有し、駆動部材２の内周面が作動部を備える。本実施の形態では、前記作動部が、例えば多角形の断面形状を有する貫通孔である。もちろん、前記作動部は、多辺形の断面形状を有する凸部でもよい。これにより、前記作動部は、例えばナットまたはスリーブなどの部品に組付けることが可能である。
【００２２】
制動部材３は、第３収容空間１３内に設けられており、第１係止部２１と係止する第２係止部３１を有する。第２係止部３１により、駆動部材２の回転方向が規制される。本実施の形態では、第２係止部３１が、第１係止部２１に対応する形状を有し、例えば複数の外歯を有する。
【００２３】
切替部材４は、第２収容空間１２に回転可能に設けられており、回転部材４１と、回転部材４１から伸びる突出４２と、を備える。回転部材４１は大径段１２１に収容される。突出４２は小径段１２２に収容される。回転部材４１の突出４２から遠く離れた一端の径方向には、切替え可能なトグル４３が設けられている。
回転部材４１の径方向に収容穴４４が設けられている。回転部材４１が回転するときには、回転部材４１が突出４２を中心としてスムーズに回転することが可能である。大径段１２１と小径段１２２との間に第１階段部６１が形成され、回転部材４１と突出４２との間に第２階段部６２が形成され、第１階段部６１が第２階段部６２に押し付けることにより、回転部材４１が大径段１２１に安定的に位置決めされることが好ましい。
【００２４】
付勢ユニット５は、一端が回転部材４１の収容穴４４に収容され、他端が、制動部材３に押し付けて互いに規制され、制動部材３を第１係止部２１へ付勢する。
【００２５】
また、切替部材４を調整することによって、制動部材３と第１係止部２１との係止の位置を切替えることにより、駆動部材２の回転方向を調整することが可能である。
本実施の形態では、図７に示すように、切替部材４が第１位置に切り替えられると、制動部材３が、付勢ユニット５に押し付けられて、図７の矢印の方向に示すように、例えば第１方向に沿って駆動部材２と互いに制動する。これにより、駆動部材２は第１方向に沿って回転することができない。
図８に示すように、切替部材４が第２位置に切り替えられると、制動部材３が、付勢ユニット５に押し付けられて、図８の矢印の方向に示すように、例えば第２方向に沿って駆動部材２と互いに制動する。これにより、駆動部材２は第２方向に沿って回転することができない。
【００２６】
具体的には、本実施の形態では、付勢ユニット５は、弾性部材５１と、押付ブロック５２と、を備える。弾性部材５１は、押付ブロック５２を嵌め、収容穴４４に収容される。また、押付ブロック５２は、Ｅ字形を呈するブロックである。押付ブロック５２はブッシュ５２１を備える。ブッシュ５２１の両側から止めアーム５２２が伸びる。弾性部材５１はブッシュ５２１を嵌める。二つの止めアーム５２２は、収容穴４４にスライド可能に収容されている。これにより、押付ブロック５２はスライドすることが可能である。
収容穴４４は、拡径部４４１と、それぞれ拡径部４４１の両端に位置する延在段４４２と、を備える。二つの止めアーム５２２は、それぞれ二つの延在段４４２内に位置する。弾性部材５１とブッシュ５２１とは、拡径部４４１内に位置することにより、弾性部材５１が切替部材４から離脱することを防止することが可能である。
【００２７】
制動部材３の第１係止部２１から遠く離れた一端に窪み３２が設けられている。押付ブロック５２の切替部材４から遠く離れた一端は、窪み３２の穴壁に押し付けることにより、押付ブロック５２が制動部材３から離脱することを有効に防止することが可能である。
【００２８】
特に、回転部材４１の径方向には、制動部材３に向く方向に切り欠部４５が設けられている。回転部材４１の切り欠部４５の上に凸縁４６が形成されている。切り欠部４５は、凸部４５１と、凸部４５１の両側に位置する円弧面段４５２と、を備える。回転部材４１の軸方向から見れば、凸縁４６の径方向の寸法は凸部４５１の径方向の寸法より大きい。
収容穴４４は凸部４５１に設けられている。切替部材４が回転するときには、凸縁４６が上支持部を形成し、突出４２が下支持部を形成する。これにより、切替部材４の上下端をそれぞれ支持することが可能であり、切替部材４を切替えるときに発生する上下に回転する力を抵抗することが可能であり、切替部材４の回転がもっとスムーズとなり、切替部材４が第２収容空間１２から離脱することを防止することが可能である。
【００２９】
以上のように、本発明の特定の例を参照して説明したが、それらの例は説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００３０】
１      本体
２      駆動部材
３      制動部材
４      切替部材
５      付勢ユニット
１１    第１収容空間
１２    第２収容空間
１３    第３収容空間
２１    第１係止部
３１    第２係止部
３２    窪み
４１    回転部材
４２    突出
４３    トグル
４４    収容穴
４５    切り欠部
４６    凸縁
５１    弾性部材
５２    押付ブロック
６１    第１階段部
６２    第２階段部
１２１  大径段
１２２  小径段
４４１  拡径部
４４２  延在段
４５１  凸部
４５２  円弧面段
５２１  ブッシュ
５２２  止めアーム
【図１】
2019514715.tif 000003
【図２】
2019514715.tif 000004
【図３】
2019514715.tif 000005
【図４】
2019514715.tif 000006
【図５】
2019514715.tif 000007
【図６】
2019514715.tif 000008
【図７】
2019514715.tif 000009
【図８】
2019514715.tif 000010
【国際調査報告】
2019514715.tif 000011
2019514715.tif 000012
2019514715.tif 000013
2019514715.tif 000014
2019514715.tif 000015